(57)【要約】可視面及び隠れ面を有する投写型ディスプレイを、通常操作の間提供する。投写型ディスプレイは、当該投写型ディスプレイに電気接続する１つ又は複数のコネクタを有するジャックパネルを有し、該ジャックパネルは少なくとも１つの可視面及び少なくとも１つの隠れ面からアクセス可能である。
2007531058.tif 000002
【特許請求の範囲】
【請求項１】
可視面及び隠れ面を、通常操作の間有する投写型ディスプレイであって、
該投写型ディスプレイに電気接続する１つ又は複数のコネクタを有するジャックパネルを有し、該ジャックパネルは少なくとも１つの前記可視面及び少なくとも１つの前記隠れ面からアクセス可能である、
ところの投写型ディスプレイ。
【請求項２】
前記ジャックパネルは少なくとも１つの前記可視面から開放可能なアクセスパネル及び取り外し可能なアクセスパネルの１つを通じてアクセス可能である、
請求項１記載の投写型ディスプレイ。
【請求項３】
前記投写型ディスプレイはフレームにマウントされるスクリーンを有し、且つ前記アクセスパネルは前記フレームへ取り付けられる、
請求項１記載の投写型ディスプレイ。
【請求項４】
前記アクセスパネルはボールキャッチによって前記フレームへ取り付けられる、
請求項３記載の投写型ディスプレイ。
【請求項５】
前記アクセスパネルは前記スクリーンの下の前記フレームへ取り付けられる、
請求項３記載の投写型ディスプレイ。
【請求項６】
前記ジャックパネルは少なくとも１つの隠れ面からジャックパネルドアを通じてアクセス可能である、
請求項１記載の投写型ディスプレイ。
【請求項７】
少なくとも１つの前記の電気コネクタは前記ジャックパネルドアを通じて前記ジャックパネルへ導入される、
請求項６記載の投写型ディスプレイ。
【請求項８】
投写型ディスプレイであって：
ディスプレイスクリーンが上に配置される正面と；
前記ディスプレイスクリーンを支持し且つ背面、側面及び前記正面の一部分を形成するハウジングと；
該ハウジングに配置され、且つ当該投写型ディスプレイに電気接続する１つ又は複数のコネクタを有する、ジャックパネルと；
該ジャックパネルとの接続のためのコネクタを受け入れる前記ジャックパネルに隣接するジャックパネル空隙と；
該ジャックパネル空隙と連通する前記背面又は前記側面の１つにあるコネクタ開口であり、前記１つ又は複数のコネクタを前記ジャックパネル空隙へと導入するコネクタ開口と；
前記ジャックパネル空隙と連通する前記ハウジングの前記正面部分にあるアクセス開口と；
該アクセス開口を覆う前記ハウジングの前記正面部分へ取り付けられるアクセスパネルと；
を有する、
ところの投写型ディスプレイ。
【請求項９】
前記アクセスパネルはボールキャッチによって前記フレームへ取り付けられる、
請求項８記載の投写型ディスプレイ。
【請求項１０】
前記アクセスパネルは前記スクリーンの下の前記フレームへ取り付けられる、
請求項８記載の投写型ディスプレイ。
【請求項１１】
少なくとも１つの電気コネクタは前記コネクタ開口を通じて前記ジャックパネルへ導入される、
請求項８記載の投写型ディスプレイ。
【請求項１２】
前記コネクタ開口はジャックパネルドアによって覆われる、
請求項１１記載の投写型ディスプレイ。
【請求項１３】
前記ジャックパネルは少なくとも１つの可視面から開放可能なアクセスパネル及び取り外し可能なアクセスパネルの１つを通じてアクセス可能である、
請求項８記載の投写型ディスプレイ。
【発明の詳細な説明】
【技術分野】
【０００１】
本願は、２００４年３月３１日に出願された米国仮特許出願第６０／５５７，９８０号、発明の名称「ディスプレイの前部、側部、及び後部からジャックパネルへの消費者によるアクセスが可能な投写型ディスプレイ（Ｐｒｏｊｅｃｔｉｏｎ  Ｄｉｓｐｌａｙ  Ａｌｌｏｗｉｎｇ  Ｃｕｓｔｏｍｅｒ  Ａｃｃｅｓｓ  ｔｏ  Ｊａｃｋ  Ｐａｎｅｌ  ｆｒｏｍ  ｔｈｅ  Ｆｒｏｎｔ，  Ｓｉｄｅ  ａｎｄ  Ｂａｃｋ  ｏｆ  Ｄｉｓｐｌａｙ）」の優先権を主張し、その全体を参照により本明細書に引用する。
【０００２】
本発明は、概して投写型ディスプレイに係り、特に、投写型ディスプレイスクリーン用ジャックパネルに係る。
【背景技術】
【０００３】
最近の薄型の投写型ディスプレイテレビは、壁にマウントするよう設計されているが、そのことが、後部へのアクセスを困難にしている。セットへ且つセットから出し入れされるケーブル布線（アンテナ入力、電源コード、その他のフックアップケーブル）を、通常操作にある閲覧者から隠すことが、望まれている。
【０００４】
通常の視野位置から複数のケーブルを隠すことは、困難であり得る。壁へマウントされるよう設計されたディスプレイの多くは、ジャックパネルアクセスを、ディスプレイの１つ又は複数の縁部から有する。フックアップする間のジャックの視認性は、壁に頭をぶつけでもしない限り、非常に限られたものとなっている。ディスプレイによっては、ケーブルを隠す設備のない非常に限られた「正面オーディオ／ビデオ入力」を有する。
【発明の開示】
【発明が解決しようとする課題】
【０００５】
本発明は、可視面及び隠れ面を、通常操作の間有する投写型ディスプレイを提供することを目的とする。
【課題を解決するための手段】
【０００６】
投写型ディスプレイは、当該投写型ディスプレイに電気接続する１つ又は複数のコネクタを有するジャックパネルを有し、該ジャックパネルは、少なくとも１つの可視面及び少なくとも１つの隠れ面からアクセス可能である。可視面及び隠れ面の両方からアクセス可能であるジャックパネルを用いて、「貫通」アクセスを設ける。「貫通」アクセスにより、投写型ディスプレイの使用者又は消費者が、可視面からジャックパネルへアクセスでき、且つ隠れ面における開口を通じてケーブルを導入できる。可視面は、ケーブルを接続するための良好な視認性を提供し、隠れた開口は、通常操作（又はディスプレイを見ている）の間、審美的外見を提供する。
【発明を実施するための最良の形態】
【０００７】
本発明を、添付の図面を参照しながら例示として以下に説明する。
【０００８】
図１Ａ〜図３に示すように、本発明は、例示的な投写型ディスプレイ１の使用者又は消費者が、装飾的なアクセスパネル３０をディスプレイの前部から取り外せるようにし、それによりジャックパネル４０（図１Ｂに示す）の良好な視認性及びディスプレイ後部へ「貫通（ｐａｓｓ  ｔｈｒｏｕｇｈ）」ケーブルアクセスを提供する。「貫通」ジャックパネルアクセスの構成は、所有者又は使用者が、ディスプレイの前部、側部又は後部のいずれかからジャックパネル４０へアクセスすることを可能にする。
【０００９】
ディスプレイ１は、フレーム２０へマウントされたスクリーン１０を含む。ジャックパネル４０は、複数のケーブルとの電気接続に用いられ、ケーブルは、電力、信号等をディスプレイへ提供する。アクセス開口２１が、フレーム２０の前部、スクリーン１０の下に設けられる。アクセス開口２１は、図１Ａ、図１Ｂに示されている実施形態においてスクリーン１０の下に設けられているが、スクリーン１０の側部又はスクリーン１０の上部にもアクセス開口２１を位置付けできることに留意されたい。アクセスパネル３０は、アクセス開口２１を覆うようにフレーム２０へ取り外し可能に取り付けられる。アクセスパネル３０は、代替的には、たとえばヒンジのような開口機構を介して開く扉又はカバーであってもよい。先述したように、複数のケーブルを、スクリーン１０を見ている使用者に見えないよう位置付けることが望ましく、且つジャックパネル４０への可視のアクセス（ｖｉｓｉｂｌｅ  ａｃｃｅｓｓ）をもたらす（ジャックパネル４０を見えるようにする）ことが望ましい。本実施形態において、アクセスパネル３０は、ディスプレイの前部からジャックパネル４０への可視のアクセスを提供する。
【００１０】
フレーム２０の後部又は側部上で、ジャックパネル開口２２（図２Ｂに示す）が、ジャックパネル４０へのアクセスを提供する。複数のケーブル（図示せず）は、このジャックパネル開口２２を通じて導入され且つジャックパネル４０へ接続されることができ、それにより電力、信号等が、ディスプレイへもたらされる。ジャックパネルドア２３（図２Ａに示す）が、フレーム２０へ取り外し可能に取り付けられて、ジャックパネル開口２２を覆う。
【００１１】
アクセスカバー３０及びジャックパネルドア２３が取り外された図３に示すように、ジャックパネル空隙２４が、フレーム２０の可視の正面にあるアクセス開口２１及びフレーム２０の隠れた背面又は側面のジャックパネル開口２２の両方と連通する。このことにより、ジャックパネル４０への「貫通」アクセスが可能になり、それによって、ディスプレイ１の前部からディスプレイへケーブルをフックアップ（ｈｏｏｋ  ｕｐ）するための容易な可視のアクセスが提供され、複数のケーブルは、ディスプレイの隠れ面から導入されることができる。したがって、「貫通」という概念は、ケーブルが、ディスプレイ前部からフックアップされ且つディスプレイの後部へ貫通されることを可能にする。
【００１２】
随意に、フレーム２０は、ジャックパネル４０に近接する穴２２（図２Ｂに示す）を含み、穴２２は、カメラ及びビデオゲームといった一時的なケーブルを、容易にフックアップすることができる。かかる構成は、一時的なケーブル及び／又は半永久的なケーブルを、セットの前部からジャックパネル４０の如何なるジャックへと容易にフックアップすることができる。ディスプレイの後部上の装飾的なジャックパネルドア２３もまた、審美的な外観を設けてもよい。
【００１３】
随意に、アクセスパネル３０は、隠された取り付けデバイスでフレームに取り付けられても良い。たとえば複数のボールキャッチ２６が、フレーム内に設けられてもよく、それによりアクセスパネル３０上の複数のボール（図示せず）を捕捉する。したがって、アクセスパネル３０は、フレーム２０上の所定の位置にスナップにより締結されてもよく（ｓｎａｐｐｅｄ）、且つ審美的な外観を提供する。
【００１４】
上記は、本発明を実施するにあたって幾つかの可能性を示したものである。多くの他の実施形態が、本発明の精神及び範囲内で可能である。したがって、上記の説明は限定というよりも例示としてとらえられるよう意図され、且つ本発明の範囲は、添付の請求項によって、あらゆる範囲の等価物とともに与えられる。
【図面の簡単な説明】
【００１５】
【図１Ａ】本発明の例示的な実施形態による投写型ディスプレイの斜視の正面図であり、取り外し可能なアクセスパネルを、所定の場所に備えたディスプレイを示す。
【図１Ｂ】本発明の例示的な実施形態による投写型ディスプレイの斜視の正面図であり、取り外し可能なアクセスパネルが取り外されたディスプレイを示す。
【図２Ａ】図１Ａ及び図１Ｂの投写型ディスプレイの斜視の背面図であり、取り外し可能なジャックパネルドアを、所定の場所に備えたディスプレイを示す。
【図２Ｂ】図１Ａ及び図１Ｂの投写型ディスプレイの斜視の背面図であり、取り外し可能なジャックパネルドアが取り外されたディスプレイを示す。
【図３】図１Ａ〜図２Ｂの投写型ディスプレイの斜視の正面図であり、取り外し可能なアクセスパネル及び取り外し可能なジャックパネルドアが取り外されたディスプレイを示す。
【図１Ａ】
2007531058.tif 000003
【図１Ｂ】
2007531058.tif 000004
【図２Ａ】
2007531058.tif 000005
【図２Ｂ】
2007531058.tif 000006
【図３】
2007531058.tif 000007
【国際調査報告】
2007531058.tif 000008
2007531058.tif 000009
2007531058.tif 000010